(57)【要約】【課題】  ドアガラスの車内側への変異等を、車内側シールリップにより防止して、異音の発生を防止することができるとともに、生産性の優れた自動車用ガラスランを得ることである。【解決手段】  車外側側壁２０と車内側側壁３０には、それぞれ車外側シールリップ５０と車内側シールリップ６０を設け、車内側シールリップの先端から車内側延設リップ６５を車内側側壁側に向かって屈曲して延設し、車内側延設リップ６５は、車内側側壁３０に向かって凸となるように湾曲して形成し、ドアガラス５がガラスラン本体部に挿入されたときに、車内側延設リップ６５の先端が底壁４０に当接することを特徴とする自動車用ガラスランである。【選択図】        図１
2005329728.tif 000002
【特許請求の範囲】
【請求項１】
自動車ドアのドアフレームの内周に取付けられ、ドアガラスの昇降を案内し、車外側側壁と、車内側側壁と、底壁とからなる断面略Ｕ字状のガラスラン本体部を備えた自動車用ガラスランにおいて、
上記車外側側壁と車内側側壁には、それぞれ上記ガラスラン本体部の断面略Ｕ字状の内側に向かって延出する車外側シールリップと車内側シールリップを設け、該車外側シールリップと車内側シールリップにより上記ガラスラン本体部の内側に挿入されているドアガラスの両側端部の車外側面および車内側面をシールし、
上記車内側シールリップの先端から車内側延設リップを車内側側壁側に向かって屈曲して延設し、該車内側延設リップは、車内側側壁に向かって凸となるように湾曲して形成し、上記ドアガラスが上記ガラスラン本体部に挿入されたときに、上記車内側延設リップの先端が上記底壁に当接することを特徴とする自動車用ガラスラン。
【請求項２】
上記底壁の側端部内面に上記車内側側壁に沿って底壁突起部を形成し、上記ドアガラスが上記ガラスラン本体部に挿入されたときに、上記車内側延設リップの先端が上記底壁突起部と車内側側壁の内面との境界部分に当接する請求項１に記載の自動車用ガラスラン。
【請求項３】
上記車内側シールリップ、上記車外側シールリップの表面及び上記底壁の内面に低摺動部材が設けられている請求項１又は請求項２に記載の自動車用ガラスラン。
【請求項４】
上記車内側延設リップの肉厚は、上記車内側シールリップの肉厚よりも薄い請求項１乃至請求項３のいずれかに記載の自動車用ガラスラン。
【請求項５】
上記ガラスラン本体部、上記車内側シールリップ及び上記車外側シールリップは、熱可塑性エラストマーで形成され、上記車内側シールリップ及び上記車外側シールリップの表面並びに上記底壁の内面の低摺動部材は、上記ガラスラン本体部の熱可塑性エラストマーの硬度よりも硬度が高い熱可塑性エラストマーで形成された請求項３又は請求項４に記載の自動車用ガラスラン。
【請求項６】
上記ガラスラン本体部、上記車内側シールリップ及び上記車外側シールリップは、合成ゴムで形成され、上記車内側シールリップ、上記車外側シールリップの表面及び上記底壁の内面の低摺動部材は、低摺動性の塗膜あるいは、植毛された短繊維で形成された請求項３又は請求項４に記載の自動車用ガラスラン。
【請求項７】
上記車内側側壁の内面の上記車内側延設リップが当接する部分に低摺動部材が設けられた請求項１乃至請求項６のいずれかに記載の自動車用ガラスラン。
【発明の詳細な説明】
【技術分野】
【０００１】
本発明は、自動車ドアのドアフレームの内周に取付けられ、ドアガラスの昇降を案内するとともに、ドアフレームとドアガラスの間をシールする自動車用ガラスランに関するものである。
【背景技術】
【０００２】
図５に示すように、自動車ドア１のドアフレーム２の内周には、ドアガラス５の昇降を案内するガラスラン１１０が取付けられている。その従来の断面構造を図６に示す。図６は、図５のＡ−Ａ線に沿った断面図である。
なお、図５は、フロントドアを示しているが、リヤドアにも適用可能である。
【０００３】
従来、ガラスラン１１０は、図５に示すようにドアフレーム２のチャンネル３内に取付けられて、ドアガラス５の昇降を案内するとともにドアガラス５とドアフレーム２との間をシールしている。ガラスラン１１０は、押出成形により成形された直線状の押出成形部分をドアフレーム２のコーナー部の形状に合わせて形成する型成形部分で接続している。なお、ドア１と車体との間のシールは、ドアパネルとドアフレーム２の外周に取付けられたドアウエザストリップ（図示せず）および／または車体の開口部のフランジに取付けられたオープニングトリムウエザストリップ（図示せず）によりなされている。
【０００４】
ガラスラン１１０は、車外側側壁１２０と、車内側側壁１３０と、底壁１４０からなる断面略Ｕ字状のガラスラン本体部を備えている。車外側側壁１２０の先端付近から車外側シールリップ１５０が上記断面略Ｕ字状のガラスラン本体部の内側に向けて延出するように設けられている。また、車内側側壁１３０にも、その先端付近から車内側シールリップ１６０が断面略Ｕ字状のガラスラン本体部の内側に向けて延出するように設けられている。車外側側壁１２０、車内側側壁１３０と底壁１４０はドアフレーム２のチャンネル３内に挿入され、それぞれの外面がチャンネル３の内面に当接され、ガラスラン１１０がドアフレーム２の内周に保持、装着されている。
なお、車外側シールリップ１５０、車内側シールリップ１６０の表面及び底壁１４０の上面にはウレタン塗料等の低摺動部材が施されている。
【０００５】
ドアガラス５は、その端部がこのガラスラン１１０の断面略Ｕ字状のガラスラン本体部の内側を摺動するとともに、上記車外側シールリップ１５０と車内側シールリップ１６０によってその端部の両側面がシールされて保持されている（例えば、特許文献１参照。）。しかしながら、換気等のため、ドアガラス５の昇降をドアフレーム２の途中で止める場合がある。このとき、ドアガラス５は、ドアフレーム２の上辺で保持されていなく、ドアガラス５が、両側端のガラスラン１１０のみで保持されているため、横方向（車両の幅方向）に振動することがある。また、ドアガラス５全開時においても、ドアガラス５は自動車が高速走行する場合には車外側に吸い出されて車外方向に変位したり、悪路走行時等の車体の振動によりドアガラス５が振動する場合がある（例えば、特許文献２参照。）。
【０００６】
このとき、ドアガラス５の振動により押されて、車内側シールリップ１６０と車外側シールリップ１５０がそれぞれ車外側側壁１２０と車内側側壁１３０に当接したり、離れたりして異音が発生する。また、車内側シールリップ１６０と車外側シールリップ１５０は、リップ形状であるためドアガラス５の振動に対してその振動を吸収する力が弱く、断面略Ｕ字形のガラスラン本体部の内部でドアガラス５を充分強く保持することができなかった。
【０００７】
このため、車内側シールリップ１６０と車外側シールリップ１５０を車内側側壁１３０と車外側側壁１２０に対してそれぞれ中空状に形成して、中空状のシールリップでドアガラス５を保持することも考えられている。
しかしながら、中空状のシールリップを押出成形で形成する場合は、押出成形時にその中空部に対して負圧になりつぶれることを防止するために、所定の圧力の空気を連続的に制御して中空部内に供給することが必要となり、成形作業が複雑になり、成形速度も遅くなるため、生産性がよくなかった。
【特許文献１】特開２０００−２５４６２号公報（第２−３頁、第２図）
【特許文献２】特開２００２−１９４７３号公報（第５−５頁、第１図（ｂ））
【発明の開示】
【発明が解決しようとする課題】
【０００８】
そこで、本発明はドアガラスがガラスラン本体内のどの位置にいる場合でも、車内側シールリップが擬似中空部を形成し、ドアガラスの変位や振動を防止して、ドアガラスを確実に保持することができ、異音の発生を防止することができるとともに、生産性の優れた自動車用ガラスランを提供することを目的とするものである。
【課題を解決するための手段】
【０００９】
上記課題を解決するために請求項１の本発明は、自動車ドアのドアフレームの内周に取付けられ、ドアガラスの昇降を案内し、車外側側壁と、車内側側壁と、底壁とからなる断面略Ｕ字状のガラスラン本体部を備えた自動車用ガラスランにおいて、
車外側側壁と車内側側壁には、それぞれガラスラン本体部の断面略Ｕ字状の内側に向かって延出する車外側シールリップと車内側シールリップを設け、車外側シールリップと車内側シールリップによりガラスラン本体部の内側に挿入されているドアガラスの両側端部の車外側面および車内側面をシールし、車内側シールリップの先端から車内側延設リップを車内側側壁側に向かって屈曲して延設し、車内側延設リップは、車内側側壁に向かって凸となるように湾曲して形成し、ドアガラスがガラスラン本体部に挿入されたときに、車内側延設リップの先端が底壁に当接することを特徴とする自動車用ガラスランである。
【００１０】
請求項１の本発明では、車外側側壁と車内側側壁には、それぞれガラスラン本体部の断面略Ｕ字状の内側に向かって延出する車外側シールリップと車内側シールリップが設けられている。そして、車外側シールリップと車内側シールリップによりガラスラン本体部の内側に挿入されているドアガラスの両側端部の車外側面および車内側面をシールするとともに、ドアガラスの端部を保持することができる。そのため、ドアフレームとドアガラスとの間のシールをすることができる。
【００１１】
車内側シールリップの先端から車内側延設リップを車内側側壁側に向かって屈曲して延設し、車内側延設リップは、車内側側壁に向かって凸となるように湾曲して形成したため、車内側シールリップ、車内側延設リップと車内側側壁側により略三角形状の擬似中空部を形成することができ、ドアガラスが車両の走行時に振動しても、その振動を吸収することができる。
また、車内側シールリップの先端が、即ち、車内側シールリップの先端から車内側延設リップが屈曲している部分で、ドアガラスに線接触的に当接することができ、ドアガラスの昇降をスムースに行うことができる。
さらに、車内側延設リップは、車内側側壁に向かって凸となるように湾曲しているため、ドアガラスが車内側シールリップを押したときに、車内側延設リップが撓みやすく、ドアガラスの振動を吸収しやすい。
【００１２】
ドアガラスがガラスラン本体部内に位置するときに、車内側延設リップの先端が底壁に当接するように形成したため、ドアガラスが車内側シールリップに当接したときに、車内側延設リップの先端が底壁により支えられて、車内側シールリップ、車内側延設リップと車内側側壁により形成される略三角形状の擬似中空部が形成される。このため、この略三角形状の擬似中空部でドアガラスの保持が確実にでき、ドアガラスの振動を吸収することができる。
また、押出成形時には、車内側延設リップの先端と車内側側壁側は離れて成形されるため、中空部分を成形する必要がなく、押出成形が容易であり、成形速度を上げることができ、生産性が優れている。
【００１３】
請求項２の本発明は、底壁の側端部内面に車内側側壁に沿って底壁突起部を形成し、ドアガラスがガラスラン本体部に挿入されたときに、車内側延設リップの先端が底壁突起部と車内側側壁の内面の境界部分に当接する自動車用ガラスランである。
【００１４】
請求項２の本発明では、底壁の側端部内面に車内側側壁に沿って底壁突起部を形成したため、ガラスラン本体部をドアフレームに装着したときに、底壁突起部が車内側側壁の下部を支えて、車内側側壁をガラスラン本体部の内部方向に倒れることを防止して、ガラスラン本体部が断面略Ｕ字形を保持することができる。
ドアガラスがガラスラン本体部に挿入されたときに、車内側延設リップの先端が底壁突起部と車内側側壁の内面の境界部分に当接するため、車内側延設リップの先端を確実に保持して、車内側シールリップ、車内側延設リップと車内側側壁側により形成される略三角形状の擬似中空部を確実に形成することができ、ドアガラスの振動を弾性的に吸収する。さらに、ドアガラスを車外方向に押すことができ、ドアガラスとドアフレームとの段差を小さくすることができる。
【００１５】
請求項３の本発明は、車内側シールリップ、車外側シールリップの表面及び底壁の内面に低摺動部材が設けられている自動車用ガラスランである。
【００１６】
請求項３の本発明では、車内側シールリップ、車外側シールリップの表面及び底壁の内面に低摺動部材が設けられているため、車外側シールリップ及び車内側シールリップは、ドアガラスと当接する部分の摺動抵抗を減少させることができ、ドアガラスの昇降をスムースにすることができ、昇降時にドアガラスと擦れて異音や振動が発生しにくくなる。また、底壁の内面も同様にドアガラスの側端との摺動抵抗を減少させることができる。
【００１７】
請求項４の本発明は、車内側延設リップの肉厚は、車内側シールリップの肉厚よりも薄い自動車用ガラスランである。
【００１８】
請求項４の本発明では、車内側延設リップの肉厚は、車内側シールリップの肉厚よりも薄いため、ドアガラスが車内側シールリップの先端に当接し、車内側シールリップを車内側側壁方向に押したときに、車内側延設リップが湾曲して形成されていることとあいまって、車内側延設リップが撓みやすく、弾力的にドアガラスを保持することができる。このため、ドアガラスの振動を効果的に吸収することができる。
【００１９】
請求項５の本発明は、ガラスラン本体部、車内側シールリップ及び車外側シールリップは、熱可塑性エラストマーで形成され、車内側シールリップ及び車外側シールリップの表面並びに底壁の内面の低摺動部材は、ガラスラン本体部の熱可塑性エラストマーの硬度よりも硬度が高い熱可塑性エラストマーで形成された自動車用ガラスランである。
【００２０】
請求項５の本発明は、ガラスラン本体部、車内側シールリップ及び車外側シールリップは、熱可塑性エラストマーで形成されているため、加硫成形する必要がなく、安価に製造することができ、リサイクルも容易である。また、合成ゴムと比べて軽く形成することができるため、車両の軽量化に貢献することができる。
車内側シールリップ及び車外側シールリップの表面並びに底壁の内面の低摺動部材は、ガラスラン本体部の熱可塑性エラストマーの硬度よりも硬度が高い熱可塑性エラストマーで形成されているため、ガラスラン本体部と低摺動部材は、同種類の材料を使用することができ、押出成形により、ガラスラン本体部と低摺動部材を同時に成形することができ、生産の効率がよい。また、同時押出成形によりガラスラン本体部と低摺動部材を強固に接着することができる。
【００２１】
ガラスラン本体部の熱可塑性エラストマーの硬度よりも車内側シールリップ、車外側シールリップの表面及び底壁の内面の低摺動部材の熱可塑性エラストマーの硬度が高いため、低摺動部材の熱可塑性エラストマーはドアガラスと摺動しやすく、ドアガラスの昇降が容易である。また、同種類の熱可塑性エラストマーの硬度を異ならせることのみで、成形することができるため、成形が容易である。
【００２２】
請求項６の本発明は、ガラスラン本体部、車内側シールリップ及び車外側シールリップは、合成ゴムで形成され、車内側シールリップ、車外側シールリップの表面及び底壁の内面の低摺動部材は、低摺動性の塗膜あるいは、植毛された短繊維で形成された自動車用ガラスランである。
【００２３】
請求項６の本発明では、ガラスラン本体部、車内側シールリップ及び車外側シールリップは、合成ゴムで形成されているため、弾力性に富み、ドアガラスの振動を容易に吸収することができる。また、長時間使用しても変形することが少なく、長時間ドアガラスを確実にシールすることができる。
車内側シールリップ、車外側シールリップの表面及び底壁の内面の低摺動部材は、低摺動塗膜あるいは、植毛された短繊維で形成されたため、ウレタン塗料等の低摺動塗膜の場合は、塗布が容易であり、ガラスラン本体部の合成ゴムとの密着性もよい。低摺動部材が植毛された短繊維で形成された場合は、表面の触感もよく、また、ドアガラスの表面に付着した埃や砂粒を植毛された短繊維が乗り越えるため、スムースな昇降をすることができる。
【００２４】
請求項７の本発明は、車内側側壁の内面の車内側延設リップが当接する部分に低摺動部材が設けられた自動車用ガラスランである。
【００２５】
請求項７の本発明では、ドアガラスが、車内側シールリップの先端を車内側側壁方向に押して、車内側延設リップが車内側側壁に当接したときに、車内側延設リップが車内側側壁の内面の摺動抵抗を減少させる処理をした低摺動部材の面を摺動することが容易であり、ドアガラスが車内側シールリップの先端を押して、車内側延設リップの先端が車内側側壁の内面を摺動して、底壁の底壁突起部に当接する時に、車内側延設リップが摺動する異音の発生を防止することができる。
【発明の効果】
【００２６】
本発明は、車内側シールリップの先端から車内側延設リップを車内側側壁側に屈曲して延設し、車内側延設リップは、車内側側壁に向かって凸となるように湾曲して形成したため、ドアガラスがガラスラン本体部の内部に挿入されたときに、車内側シールリップ、車内側延設リップと車内側側壁により略三角形状の擬似中空部を形成することができ、車内側延設リップは、車内側側壁に向かって凸となるように湾曲しているため、ドアガラスが車内側シールリップを押したときに、車内側延設リップが撓みやすく、ドアガラスの振動を吸収しやすい。
また、車内側延設リップの先端が底壁により支えられて、車内側シールリップ、車内側延設リップと車内側側壁側により形成される略三角形状の擬似中空部が保持されることができる。このため、ドアガラスの保持を確実にすることができ、ドアガラスの振動を吸収することができる。
【発明を実施するための最良の形態】
【００２７】
本発明の実施の形態を図１〜図５に基づき説明する。図５は自動車のフロントドアの側面図である。図５に示すように自動車のドア１の上部にはドアフレーム２が設けられ、ドアガラス５が昇降自在に取付けられる。すなわち、ドアフレーム２の内周には、チャンネル３が設けられ、チャンネル３にはガラスラン１０が取付けられ、ドアガラス５の昇降を案内するとともに、ドアガラス５とドアフレーム２との間をシールしている。
【００２８】
まず、図１と図２に基づき、第１の実施の形態について説明する。
ガラスラン１０は、全体として押出成形で形成された略直線状の押出成形部分と、型成形で形成されて押出成形部分を接続する型成形部分からなる。押出成形部分は、ドアフレーム２の上辺に取付けられる部分と、ドアフレーム２のリヤ側縦辺に取付けられる部分と、ドアフレーム２のフロント側縦辺に取付けられる部分とからなる。型成形部分はこれらの押出成形部分をドアフレーム２に対応した形状となるように接続しており、ドアフレーム２のコーナー部に装着される部分となる。
【００２９】
ドアフレーム２の縦辺に取付けられる押出成形部の断面形状を図１に示す。図１は、図５のＡ−Ａ線に沿った断面図である。図１は、ドアガラス５がガラスラン本体部１１の内部中央付近に位置した状態を示し、図２は、ドアガラス５がガラスラン本体部１１の内部の車外側に位置した状態を示す。
図２は、ガラスラン１０をドアフレーム２に取付けたときの図５のＡ−Ａ線に沿った断面図である。車外側側壁２０と、車内側側壁３０と、底壁４０とからなるガラスラン本体部１１は、断面略Ｕ字状に形成されている。車内側側壁３０の先端付近から車内側シールリップ６０が上記ガラスラン本体部１１の断面略Ｕ字状の内側に向けて延設されている。また、車内側カバーリップ３１が車内側側壁３０の先端で車内方向に延設されている。車外側側壁２０の先端から車外側シールリップ５０が上記ガラスラン本体部１１の断面略Ｕ字状の内側に向けて延設されており、また、車外側カバーリップ２１が車外側側壁２０の先端で車外方向に延設されている。
【００３０】
図２に示すように、ガラスラン１０をドアフレーム２のチャンネル３に取付けると、チャンネル３の車内側の内面は、車内側側壁３０の車内側保持突条３２に当接する。車内側カバーリップ３１と車内側保持リップ３３により、チャンネル３の車内側側壁を保持して、車内側側壁３０を取付けるとともに、ガラスラン１０とチャンネル３の間をシールする。
車外側側壁２０の外面に、チャンネル３の車外側の内面が当接して、車外側カバーリップ２１と第１車外側保持リップ２２により、チャンネル３の車外側側壁を保持して、車外側側壁２０を取付けるとともに、第２車外側保持リップ２３が、チャンネル３の内面に当接することと合わせてガラスラン１０とチャンネル３の間をシールする。
そして、ガラスラン１０は、チャンネル３に取付けられると車外側側壁２０、車内側側壁３０、底壁４０は、断面略Ｕ字形となり、その外面がチャンネル３の内面に接して、安定的に保持される。
【００３１】
車内側シールリップ６０は、車内側側壁３０の先端からガラスラン本体部１１の断面略Ｕ字状の内部方向に延設されている。なお、車内側シールリップ６０の車内側側壁３０との内面付け根部分に薄肉部を設けてもよい。薄肉部を設けると車内側シールリップ６０が撓みやすくなる。車内側シールリップ６０と車内側カバーリップ３１の表面には、連続して低摺動部材からなる車内側シールリップ低摺動面６１が形成されている。図１及び図２の実施の形態では、後述するように、車内側シールリップ低摺動面６１は、ガラスラン本体部１１を構成する材料よりも硬質の材料が使用される。
【００３２】
車内側シールリップ６０の先端から車内側延設リップ６５が延設されている。車内側延設リップ６５は、車内側シールリップ６０の先端から車内側側壁３０方向に屈曲して形成され、その屈曲部分は、車内側シールリップ屈曲部６２となる。車内側延設リップ６５は、全体として弓形に湾曲し、車内側側壁３０に向かって凸となるように形成される。車内側延設リップ６５の長さは、ガラスラン本体部１１の内部にドアガラス５の端部が挿入されたときに、ドアガラス５が最も車外側に振れた場合でも、車内側延設リップ６５の先端が車内側側壁３０と底壁４０との境界部分に当接することができる長さに設定されている。これによって、ドアガラス５がガラスラン本体部１１に挿入されたときに、確実に、車内側シールリップ６０、車内側延設リップ６５と車内側側壁３０により略三角形状の擬似中空部を形成することができる。
【００３３】
ドアガラス５がガラスラン本体部１１の内部に挿入されたときに、その擬似中空部の略三角形状の頂点、即ち、車内側シールリップ屈曲部６２がドアガラス５の側面に線接触的に当接して、ドアガラス５とガラスラン１０の間をシールすることができる。このため、ドアガラス５の昇降をスムースに行うことができる。また、車内側シールリップ６０の表面には上記の通り低摺動部材が設けられているので、ドアガラス５の昇降はよりスムースになる。
また、車内側側壁３０の内面の車内側延設リップ６５の先端が摺動する部分には同様に低摺動部材が設けられている。このため、車内側延設リップ６５の先端の摺動がスムースとなる。
【００３４】
なお、車内側延設リップ６５の肉厚は、車内側シールリップ６０の肉厚に比べて薄く形成されて、車内側側壁３０方向に凸に湾曲しているので、ドアガラス５が振動した場合でも、車内側延設リップ６５が撓みやすく、容易に変形して振動を吸収することができる。また、車内側シールリップ６０、車内側延設リップ６５と車内側側壁３０により略三角形状の擬似中空部を形成することができるため、この擬似中空部が弾力的に変形して、ドアガラス５を保持する所定の保持力を確保することができる。さらに、車内側延設リップ６５は、ドアガラス５が挿入されたときに、常に車内側側壁３０と底壁４０に当接しているため、車内側延設リップ６５が車内側側壁３０等から離れることがなく、離れるときの異音が発生することもない。
【００３５】
なお、第２図で示すように、ドアガラス５は、ドアパネルの外面との段差を少なくして、空気の流れを円滑にすると共に、外観の見栄えがデザイン的にも好ましいため、車外側に設けられるのが好ましい。その場合でも、車内側延設リップ６５の先端は車内側側壁３０と底壁４０の境界部分に当接して、ドアガラス５を弾力的に保持している。
ドアガラス５が車内側に寄った場合は、車内側延設リップ６５の部分が撓んだり、圧縮されたりしてドアガラス５の変位や振動を吸収する。
【００３６】
車外側シールリップ５０は、車外側側壁２０の先端からガラスラン本体部１１の断面略Ｕ字状の内部方向に延設されている。車外側シールリップ５０の車外側側壁２０との内面付け根部分には、車内側シールリップ６０と同様に、薄肉部を設けてもよい。薄肉部を設けると車外側シールリップ５０が撓みやすくなる。車外側シールリップ５０と車外側カバーリップ２１の表面には、連続して低摺動部材が設けられ、車外側シールリップ低摺動面５１が形成されている。図１及び図２の実施の形態では、後述するように、車外側シールリップ低摺動面５１は、ガラスラン本体部１１を構成する材料よりも硬質の材料が使用される。
【００３７】
ドアガラス５がガラスラン本体部１１の内部に挿入されたときに、車外側シールリップ５０の先端がドアガラス５の側面に線接触的に当接して、ドアガラス５とガラスラン１０の間をシールする。このため、ドアガラス５の昇降をスムースに行うことができる。また、車外側シールリップ５０の表面には上記の通り低摺動部材が設けられているので、ドアガラス５の昇降はよりスムースになる。
また、車外側側壁２０の内面の車外側シールリップ５０の先端が摺動する部分には同様に低摺動部材が設けられ、車外側シールリップ低摺動面５１が形成されている。このため、車外側シールリップ５０の先端の摺動がスムースとなる。また、車外側シールリップ５０は、車内側シールリップ６０よりも小さいため、ドアガラス５がガラスラン本体部１１の内部で車外側に位置しやすい。
【００３８】
底壁４０の内面は、低摺動部材から構成される底壁低摺動面４２が形成されている。ドアガラス５が昇降するときにその先端が底壁低摺動面４２と接触してスムースに昇降することができ、異音が発生することがない。この底壁低摺動面４２には長手方向に複数の底壁低摺動面条溝４３が設けられている。底壁低摺動面条溝４３により、底壁低摺動面４２に埃や塵が付着しても、排出することができる。
【００３９】
底壁低摺動面４２の幅方向の側端部に車内側側壁３０と車外側側壁２０に沿って盛り上がった底壁突起部４４を形成されてる。底壁突起部４４は、車内側側壁３０と車外側側壁２０と当接する面は平面をなし、ガラスラン１０がチャンネル３内に装着されたときに、それぞれ車内側側壁３０と車外側側壁２０と当接して、支えて、車内側側壁３０と車外側側壁２０がガラスラン本体部１１の内部に倒れこむことを防止して、ガラスラン本体部１１が断面略Ｕ字形を保持することができる。
車外側側壁２０及び車内側側壁３０と底壁４０との連結部分には、それぞれ車外側溝部４１，４１が設けられている。この車外側溝部４１、４１により、車外側側壁２０と車内側側壁３０が底壁４０に対して柔軟に折れ曲がることができ、ドアフレーム２のチャンネル３にガラスラン１０を容易に嵌め込むことができる。
【００４０】
底壁４０に底壁突起部４４を設けた場合には、ドアガラス５がガラスラン本体部１１に挿入されたときに、車内側延設リップ６５の先端が底壁突起部４４と車内側側壁３０の内面の境界部分、即ち、車内側側壁３０と底壁４０の屈曲部分に当接するため、底壁突起部４４で車内側延設リップ６５の先端をより確実に保持することができる。このため、車内側シールリップ６０、車内側延設リップ６５と車内側側壁側３０により形成される略三角形状の擬似中空部をより一層確実に構成することができ、ドアガラス５が振動しても擬似中空部が潰れることを防止することができる。
【００４１】
上述のように、車内側シールリップ低摺動面６１、車外側シールリップ低摺動面５１及び底壁低摺動面４２は、低摺動部材で構成されている。また、車内側側壁低摺動面３４と車外側側壁低摺動面２４も低摺動部材で構成されている。
図１と図２に示す実施の形態では、この低摺動部材は、ガラスラン本体部１１を形成する熱可塑性エラストマーよりも硬質の熱可塑性エラストマーで形成される。ガラスラン本体部１１は、低摺動部材よりも軟質の熱可塑性エラストマーで形成される。この熱可塑性エラストマーが、オレフィン系熱可塑性エラストマーの場合は、例えば、より硬質の熱可塑性エラストマーは、ゴム分であるＥＰＤＭが４０％、樹脂分であるポリプロピレンが６０％のものを使用し、より軟質の熱可塑性エラストマーの場合は、例えば、ゴム分であるＥＰＤＭが７０％、樹脂分であるポリプロピレンが３０％のものを使用することができる。
なお、ガラスラン本体部１１等を熱可塑性エラストマーで形成した場合には、上記したように、生産性や軽量化の点で優れ、へたり性の点でゴム製のものよりも若干劣っていたが、上記のように擬似中空部とすることで、この弱点も克服することができるので、本発明は、熱硬化性エラストマー製のガラスランで特に効果を奏する。
【００４２】
次に、図３と図４に基づき、第２の実施の形態について説明する。
第２の実施の形態は、第１の実施の形態とは基本的な形状は同じであるが、構成する材料が異なる。第１の実施の形態と同じ部分は説明を省略し、異なる部分を説明する。
第２の実施の形態においては、ガラスラン本体部１１、車外側シールリップ５０と車内側シールリップ６０は、合成ゴムであるＥＰＤＭから構成される。車内側シールリップ低摺動面６１、車外側シールリップ低摺動面５１、車内側側壁低摺動面３４及び車外側側壁低摺動面２４は、低摺動性の例えば、ウレタン塗料を塗布する。
【００４３】
底壁低摺動面４２は、ウレタン塗料の塗布又はナイロン短繊維等の植毛を行う。そのとき、底壁４０の幅方向の両側端は、車外側側壁２０と車内側側壁３０の倒れを防止するため、底壁４０の部分が盛り上がり、底壁突起部４４を形成する。この底壁突起部４４に車内側延設リップ６５の先端が当接して、車内側シールリップ６０、車内側延設リップ６５と車内側側壁側３０により略三角形状が形成される。
また、低摺動部材は、ウレタン塗料以外でも、ドアガラス５との摩擦抵抗の低いものであれば使用することができるが、例えば、ＴＰＯシート、フッ素樹脂の不職布、ポリエチレンシート、シリコンコート等を使用することができる。
【００４４】
次に本発明のガラスラン１０の製造方法について説明する。ガラスラン５は、まず直線部分の押出成形部分を成形する。押出成形は熱可塑性エラストマー又は合成ゴムを使用して成形する。押出成形時のガラスラン１０の断面形状は、略Ｕ字状の開口部分である先端部が少し開いた形状で押出成形される。これによって、車内側側壁３０と車内側延設リップ６５の先端が離れて、車内側側壁３０、車内側シールリップ６０、車内側延設リップ６５が中空状にならずに、押出成形することができる。これによって、中空状のシールリップを押出成形することを回避することができる。中空状のシールリップを押出成形で形成する場合は、押出成形時にその中空部が負圧になりつぶれることを防止するために、中空部に対して押出ダイスから所定の圧力の空気を制御して供給することが必要となり、成形作業が複雑になり、成形速度も遅くなるが、本願ではリップ状の形状を押出成形するため、その必要がなく、生産性がよい。
また、チャンネル３への装着時に、チャンネル３の側壁への押圧力が得られる。また、車外側側壁２０、車内側側壁３０、底壁４０、車外側シールリップ５０と車内側シールリップ６０へ低摺動部材を塗布する場合には、その作業がしやすくなる。
【００４５】
成形材料は、合成ゴム、熱可塑性エラストマー、軟質合成樹脂が使用され、例えば合成ゴムでは、ＥＰＤＭゴム、熱可塑性エラストマーでは、ポリオレフィン系エラストマー、軟質合成樹脂では、軟質塩化ビニル等が使用される。合成ゴムの場合は、押出成形後に加硫槽に搬送されて、熱風や高周波等により加熱されて加硫が行われる。熱可塑性エラストマー、軟質合成樹脂の場合は、冷却され固化される。その後所定の長さに切断されて、押出成形部分の製造は完成する。  
【００４６】
次に、ドアフレーム２のコーナー部に装着される型成形部分の成形は、上記により製造された押出成形部分の端部を型成形部分を成形する金型に挟持して、その金型のキャビティーに型成形部分を形成するソリッド材を注入する。型成形部分の断面形状は押出成形部分の断面形状と略同じである。成形材料は、押出成形部分に使用した材料と同じ種類のものを使用することが好ましい。合成ゴムの場合は、金型に注入した後に金型を加熱して加硫する。このとき、押出成形部分と型成形部分は同じ材料あるいは同種類の材料を使用して加硫接着をすることができるため、一体的に固着する。熱可塑性エラストマー、軟質合成樹脂の場合は、金型に注入されたときに注入材料は溶融されているため、その熱で押出成形部分と型成形部分は一体的に融着される。
【図面の簡単な説明】
【００４７】
【図１】本発明の実施の形態であるガラスランの断面図であり、ドアガラスがガラスラン本体部の中心部分に位置する状態を示す。
【図２】本発明の実施の形態であるチャンネル内に装着されたガラスランの断面図であり、ドアガラスがガラスラン本体部の車外側に位置する状態を示す。
【図３】本発明の他の実施の形態であるガラスランの断面図であり、ドアガラスがガラスラン本体部の中心部分に位置する状態を示す。
【図４】本発明の他の実施の形態であるチャンネル内に装着されたガラスランの断面図であり、ドアガラスがガラスラン本体部の車外側に位置する状態を示す。
【図５】自動車ドアの側面図である。
【図６】従来のガラスランの断面形状である。
【符号の説明】
【００４８】
２  ドアフレーム
５  ドアガラス
１０  ガラスラン
１１  ガラスラン本体部
２０  車外側側壁
３０  車内側側壁
３４  車内側側壁低摺動面
４０  底壁
４２  底壁低摺動面
４４  底壁突起部
５０  車外側シールリップ
６０  車内側シールリップ
６１  車内側シールリップ低摺動面
６２  車内側シールリップ屈曲部
６５  車内側延設リップ
【図１】
2005329728.tif 000003
【図２】
2005329728.tif 000004
【図３】
2005329728.tif 000005
【図４】
2005329728.tif 000006
【図５】
2005329728.tif 000007
【図６】
2005329728.tif 000008